(57)【要約】【課題】設計段階の机上において、電子踏切制御装置の制御データの良否の判別が容易にできる電子踏切制御装置用制御データ入力装置を提供する。【解決手段】踏切を含む踏切制御図表に基づいて表示画面に列車の通過する経路毎に、その経路を形成するに必要なリレー等からなるリレーブロック結線図を作成するリレーブロック結線図作成手段と、作成されたリレーブロック結線図に、上記列車の通過する経路を形成するに必要なリレー等の制御条件の情報を入力する入力手段と、入力された情報に基づいて電子踏切制御装置に装着されるＲＯＭボードに書込むための制御データを生成する制御データ生成手段とからなる。【選択図】      図４
2005053256.tif 000002
【特許請求の範囲】
【請求項１】
踏切を含む踏切制御図表に基づいて表示画面に列車の通過する経路毎に、その経路を形成するに必要なリレー等からなるリレーブロック結線図を作成するリレーブロック結線図作成手段と、
作成されたリレーブロック結線図に、上記列車の通過する経路を形成するに必要なリレー等の制御条件の情報を入力する入力手段と、
入力された情報に基づいて電子踏切制御装置に装着されるＲＯＭボードに書込むための制御データを生成する制御データ生成手段と、
を有することを特徴とする電子踏切制御装置用制御データ入力装置。
【発明の詳細な説明】
【０００１】
【発明の属する技術分野】
本発明は、電子踏切制御装置に装着される制御条件ＲＯＭボードに記録される制御データを効率よく作成できるようにした電子踏切制御装置用制御データ入力装置に関する。
【０００２】
【従来の技術】
従来、踏切遮断機や踏切警報機等の踏切機器を駆動制御する電子踏切制御装置は、ＣＰＵを中心に形成される電子機器によって構成されている。したがって、その電子踏切制御装置には、その電子踏切制御装置を運転するためのプログラム、すなわち、制御条件のデータの記憶されたＲＯＭボードが装着されている。
【０００３】
ＲＯＭボードに書込まれるデータは、電子踏切制御装置の設置される踏切の形態により異なるため、例えば、その踏切が駅間に存在する中間踏切の場合、その踏切が駅近くに設置される構内踏切の場合、あるいは、線路が単線か複線か等によって異なってくるため、踏切を含んだ踏切制御図表を基に、パーソナルコンピュータ（パソコン）を用いて踏切毎に作成される。そして、その作成された制御データは、データ作成機を用いてＲＯＭボードに書込まれ、そのデータの書込まれたＲＯＭボードが電子踏切制御装置に装着されるように構成されている。
【０００４】
電子踏切制御装置においては、装着されたＲＯＭボードによって正常に踏切機器が作動するか否かの入念な現場確認試験が行われる。そして、その試験の結果、不都合な部分があれば、再度、パソコンを用いたデータの修正が行われ、また、ＲＯＭボードの記憶内容の修正が行われる。このような修正は、現場での動作確認試験で正常と判定されるまで何回も繰返される。
【０００５】
図６は、乙駅付近の連動図表であり、この乙駅の上り前方（下り手前）には、踏切Ａが存在している。そして、図７は、この踏切Ａに設置されている踏切機器を駆動制御するために作成された制御データ、すなわち、踏切制御表をプリントアウトした一部である。
【０００６】
この踏切制御表の作成に当っては、この図７に示されるフォーマットとほぼ同様の内容がパソコンの表示画面に表示されるので、オペレータ（設計者）は、図６に示される連動図表を見ながら、その表示画面の所定箇所（例えば、図７の※１箇所等）にキーボードやマウスの入力器を用いてゾーン番号等が入力される。
【０００７】
【発明が解決しようとする課題】
しかしながら、上記従来の電子踏切制御装置用制御データ入力装置におけるパソコンによるデータ入力は、上記図７に示されるような制御表に書込むので、踏切警報制御条件の動作が分かりにくく、設計段階における制御データの良否の判別がしにくいという不便があった。
【０００８】
したがって、設計段階で制御データの良否の判別が困難なため、現場の確認試験後に、再度、制御データの修正を行う頻度が多くなるという不都合があった。
【０００９】
そこで、本発明は、上記欠点を解決するためになされたものであって、その目的は、設計段階で制御データの良否の判別を容易に行うことのできる電子踏切制御装置用制御データ入力装置を提供することにある。
【００１０】
【課題を解決するための手段】
本発明に係る電子踏切制御装置用制御データ入力装置は、上記目的を達成するために、踏切を含む踏切制御図表に基づいて表示画面に列車の通過する経路毎に、その経路を形成するに必要なリレー等からなるリレーブロック結線図を作成するリレーブロック結線図作成手段と、作成されたリレーブロック結線図に、上記列車の通過する経路を形成するに必要なリレー等の制御条件の情報を入力する入力手段と、入力された情報に基づいて電子踏切制御装置に装着されるＲＯＭボードに書込むための制御データを生成する制御データ生成手段と、を有することを特徴としている。
【００１１】
【発明の実施の形態】
以下、本発明の実施の形態を図面に基づいて説明する。図１は、一実施の形態に係る電子踏切制御装置用制御データ入力装置（以下、「制御データ入力装置」という。）の正面図である。
【００１２】
制御データ入力装置１は、周知の所定の図面作成プログラムが標準装備された、周知の卓上型のパソコンから構成されていて、その正面には、ＣＲＴ又は液晶からなる表示画面２が設けられている。そして、この制御データ入力装置１には、キーボード３ａ及びマウス３ｂからなる入力器３が設けられている。なお、この制御データ入力装置１は、ノート型パソコン等の他の形式のパソコンを用いることも可能である。
【００１３】
図１中、４は、データ作成機であって、制御データ入力装置１と接続されていて、その制御データ入力装置１で作成された制御データをデータ作成機４に挿入されたＲＯＭボード５に書込むことができるように構成されている。
【００１４】
上記構成の制御データ入力装置１の制御データ作成制御動作を図２のフローチャート、図３の甲駅の踏切制御図表及び図４，５の表示画面２の表示例を基に説明する。
【００１５】
先ず、制御データ入力装置１は、電源がＯＮされて立ち上げられた後、図形作成モードに設定される。次いで、キーボード３ａ又はマウス３ｂを用いて甲駅の踏切制御図表（図３参照）を見ながら、列車の経路毎のリレーブロック結線図が作成される（ステップ１００肯定。以下、ステップを「Ｓ」とする。）。
【００１６】
図４に示されるリレーブロック結線図は、下り列車が甲駅を通過する列車の経路の例であり、また、図５に示されるリレーブロック結線図は、甲駅に停車した上り列車が甲駅から出発するときの経路の例である。なお、図４及び図５で鎖線で示される範囲は、甲駅が複線の場合には省略される。
【００１７】
また、経路は、上記図４，５に示される以外に、下り進出経路、下り進入経路等の各種経路が作成される。
【００１８】
経路を示すリレーブロック結線図の作成が終了すると、そのリレーブロック図に示される入力窓（図４の例では、※２の部分）に制御条件を満たすための、リレーの接続状態がキーボード３ａ又はマウス３ｂを用いて入力される（Ｓ１０２肯定、Ｓ１０４）。
【００１９】
入力窓への入力が終了した時点で、表示画面２に表示されたリレーブロック結線図を基に経路が正常に成立しているかのチェックが行われる。そして、不具合が発見されれば（Ｓ１０８肯定）、その不具合の箇所の入力がし直される。なお、このチェックは、一つの経路の入力が終了される毎に行ってもよく、また、全ての経路の入力終了後に行ってもよい。
【００２０】
表示画面２における全ての経路のチェックが全て終了すると（Ｓ１０８否定）、制御データ入力装置１は、データ送出モードに設定され、作成された制御データは、データ作成機４に送出される。そして、データ作成機４においては、挿入されたＲＯＭボード５に制御データ入力装置１から送出されてきた制御データの書込みが行われる（Ｓ１１０）。
【００２１】
図２のフローチャートでは省略されているが、データ作成機４で制御データの書込まれたＲＯＭボード５は、甲駅の踏切Ａに設置された図示しない電子踏切制御装置に装着されて現場における入念な確認試験が行われる。もし、その確認試験で不具合が発見されたときは、再度、制御データ入力装置１を用いた制御データの修正作業が行われる。
【００２２】
しかし、本実施の形態に係る制御データ入力装置１を用いて作成された制御データは、表示画面２上で、すなわち、設計段階の机上において十分な確認が行われているので、現場における確認試験での不具合の発生割合を少なくすることができる。
【００２３】
【発明の効果】
本発明に係る制御データ入力装置は、踏切を含む踏切制御図表に基づいて表示画面に列車の通過する経路毎に、その経路を形成するに必要なリレー等からなるリレーブロック結線図を作成するリレーブロック結線図作成手段と、作成されたリレーブロック結線図に、上記列車の通過する経路を形成するに必要なリレー等の制御条件の情報を入力する入力手段と、入力された情報に基づいて電子踏切制御装置に装着されるＲＯＭボードに書込むための制御データを生成する制御データ生成手段とからなるので、設計段階の机上において、制御データの良否の判別を容易に、かつ、確実に行うことができ、その後の現場における確認作業が簡単になる特長がある。
【図面の簡単な説明】
【図１】本発明の一実施の形態に係る制御データ入力装置の正面図である。
【図２】入力制御動作を示すフローチャートである。
【図３】甲駅の踏切制御図表である。
【図４】表示画面の表示例である。
【図５】表示画面の表示例である。
【図６】乙駅の連動図表である。
【図７】従来の踏切制御表である。
【符号の説明】
１  電子踏切制御装置用制御データ入力装置（制御データ入力装置）
２  表示画面
３  入力器
４  データ作成機
５  ＲＯＭボード
【図１】
2005053256.tif 000003
【図２】
2005053256.tif 000004
【図３】
2005053256.tif 000005
【図４】
2005053256.tif 000006
【図５】
2005053256.tif 000007
【図６】
2005053256.tif 000008
【図７】
2005053256.tif 000009